(57)【要約】【課題】  複数タイプの携帯通信端末を持っていても使用するためにはＵＳＩＭカードをその都度セットしなくてもよくすることを目的とする。【解決手段】  機能端末６と認証端末１とを備える通信ネットワークシステムにおいて、機能端末６のスロットにＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードＡを差し込み、機能端末６のメモリ１０に保存される端末機能情報を、ＵＳＩＭカードＡに保存し、認証端末１のスロットにＵＳＩＭカードＡを差し込み、認証端末１は、ＵＳＩＭカードＡに格納される端末機能情報を読出し保存する。【選択図】  図１
2006310952.tif 000002
【特許請求の範囲】
【請求項１】
第１の携帯通信端末と第２の携帯通信端末とを備える通信ネットワークシステムにおいて、
前記第１の携帯通信端末のスロットにＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを差し込み、
前記第１の携帯通信端末のメモリに保存される端末機能情報を、前記ＵＳＩＭカードに保存し、
前記第２の携帯通信端末のスロットに前記ＵＳＩＭカードを差し込み、
前記第２の携帯通信端末は、前記ＵＳＩＭカードに格納される前記端末機能情報を読出し保存することを特徴とする通信ネットワークシステム。
【請求項２】
前記第１の携帯通信端末は、ネットワークを介して前記ＵＳＩＭカードに保存される前記端末機能情報を受け取ることを特徴とする請求項１記載の通信ネットワークシステム。
【請求項３】
第１の携帯通信端末と第２の携帯通信端末と第３の携帯通信端末とを備える通信ネットワークシステムにおいて、
前記第１の携帯通信端末は前記第２の携帯通信端末に機能要求を送信し、
前記第２の携帯通信端末は、当該機能要求を受け取ると、前記第２の携帯通信端末が有するメモリに登録される端末機能情報から機能要求に一致する機能を検索し、
一致する機能があった場合、前記第２の携帯通信端末は前記第３の携帯通信端末に送信し、
前記第３の携帯通信端末は、当該送信された機能要求を受けると、要求応答を前記第２の携帯通信端末に送信し、
前記第２の携帯通信端末は要求応答を受けると、前記第１の携帯通信端末に送信することを特徴とする通信ネットワークシステム。
【請求項４】
第１の携帯通信端末と第２の携帯通信端末とを備える通信ネットワークシステムにおける通信方法において、
前記第１の携帯通信端末のスロットにＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを差し込み、
前記第１の携帯通信端末のメモリに保存される端末機能情報を、前記ＵＳＩＭカードに保存し、
前記第２の携帯通信端末のスロットに前記ＵＳＩＭカードを差し込み、
前記第２の携帯通信端末は、前記ＵＳＩＭカードに格納される前記端末機能情報を読出し保存することを特徴とする通信ネットワークシステムにおける通信方法。
【請求項５】
前記第１の携帯通信端末は、ネットワークを介して前記ＵＳＩＭカードに保存される前記端末機能情報を受け取ることを特徴とする請求項４記載の通信ネットワークシステムにおける通信方法。
【請求項６】
第１の携帯通信端末と第２の携帯通信端末と第３の携帯通信端末とを備える通信ネットワークシステムにおける通信方法において、
前記第１の携帯通信端末は前記第２の携帯通信端末に機能要求を送信し、
前記第２の携帯通信端末は、当該機能要求を受け取ると、前記第２の携帯通信端末が有するメモリに登録される端末機能情報から機能要求に一致する機能を検索し、
一致する機能があった場合、前記第２の携帯通信端末は前記第３の携帯通信端末に送信し、
前記第３の携帯通信端末は、当該送信された機能要求を受けると、要求応答を前記第２の携帯通信端末に送信し、
前記第２の携帯通信端末は要求応答を受けると、前記第１の携帯通信端末に送信することを特徴とする通信ネットワークシステムにおける通信方法。
【発明の詳細な説明】
【技術分野】
【０００１】
本発明は、通信ネットワークシステム及び通信ネットワークシステムにおける通信方法に関し、特に、ＵＳＩＭカードを使用する通信ネットワークシステム及び通信ネットワークシステムにおける通信方法に関する。
【背景技術】
【０００２】
近年、携帯電話機の使用形態は、電話として通話をするだけでなく、データを通信することが多くなっている。
【０００３】
さらに、電話機能のないデータ通信用のカード型端末も登場するなど、多目的の携帯通信端末へと変わりつつある。
【０００４】
今後はＰＤＡタイプや組み込まれたタイプなど、さまざまな形態の端末が登場することも考えられる。
【０００５】
Ｗ−ＣＤＭＡ方式の携帯通信端末では、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードと呼ばれる認証用のカードを携帯通信端末にセットすることで、携帯通信端末として電話番号などのＩＤを認識している。
【特許文献１】特開２００４−０９６１６４号公報
【特許文献２】特表２００２−５１３２６１号公報
【発明の開示】
【発明が解決しようとする課題】
【０００６】
そのため、携帯通信端末を別の物に交換してもＵＳＩＭカードさえセットすれば、すぐに使用可能である。
【０００７】
しかし、逆にいえば、複数タイプの携帯通信端末を持っていても使用するためにはＵＳＩＭカードをその都度セットしなければならなかった。
【０００８】
また、携帯通信端末に新たな機能を必要とする場合、携帯通信端末を新規に購入する必要があった。
【０００９】
そこで、本発明は、複数タイプの携帯通信端末を持っていても使用するためにはＵＳＩＭカードをその都度セットしなくてもよくすることを目的とする。
【００１０】
また、本発明は、携帯通信端末に新たな機能を必要とする場合、複数の携帯通信端末を組み合わせて使用できるようにすることを目的とする。
【課題を解決するための手段】
【００１１】
本発明は、上記課題を解決するための手段として、第１の携帯通信端末と第２の携帯通信端末とを備える通信ネットワークシステムにおいて、前記第１の携帯通信端末のスロットにＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを差し込み、前記第１の携帯通信端末のメモリに保存される端末機能情報を、前記ＵＳＩＭカードに保存し、前記第２の携帯通信端末のスロットに前記ＵＳＩＭカードを差し込み、前記第２の携帯通信端末は、前記ＵＳＩＭカードに格納される前記端末機能情報を読出し保存する。
【００１２】
また、本発明は、第１の携帯通信端末と第２の携帯通信端末と第３の携帯通信端末とを備える通信ネットワークシステムにおいて、前記第１の携帯通信端末は前記第２の携帯通信端末に機能要求を送信し、前記第２の携帯通信端末は、当該機能要求を受け取ると、前記第２の携帯通信端末が有するメモリに登録される端末機能情報から機能要求に一致する機能を検索し、一致する機能があった場合、前記第２の携帯通信端末は前記第３の携帯通信端末に送信し、前記第３の携帯通信端末は、当該送信された機能要求を受けると、要求応答を前記第２の携帯通信端末に送信し、前記第２の携帯通信端末は要求応答を受けると、前記第１の携帯通信端末に送信する。
【００１３】
また、本発明は、第１の携帯通信端末と第２の携帯通信端末とを備える通信ネットワークシステムにおける通信方法において、前記第１の携帯通信端末のスロットにＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを差し込み、前記第１の携帯通信端末のメモリに保存される端末機能情報を、前記ＵＳＩＭカードに保存し、前記第２の携帯通信端末のスロットに前記ＵＳＩＭカードを差し込み、前記第２の携帯通信端末は、前記ＵＳＩＭカードに格納される前記端末機能情報を読出し保存する。
【００１４】
また、本発明は、第１の携帯通信端末と第２の携帯通信端末と第３の携帯通信端末とを備える通信ネットワークシステムにおける通信方法において、前記第１の携帯通信端末は前記第２の携帯通信端末に機能要求を送信し、前記第２の携帯通信端末は、当該機能要求を受け取ると、前記第２の携帯通信端末が有するメモリに登録される端末機能情報から機能要求に一致する機能を検索し、一致する機能があった場合、前記第２の携帯通信端末は前記第３の携帯通信端末に送信し、前記第３の携帯通信端末は、当該送信された機能要求を受けると、要求応答を前記第２の携帯通信端末に送信し、前記第２の携帯通信端末は要求応答を受けると、前記第１の携帯通信端末に送信する。
【発明の効果】
【００１５】
本発明によれば、機能端末の公開暗号鍵を認証端末１に一度登録すれば、複数の通信端末をＵＳＩＭカードを入れ替えることなく使用できる。
【００１６】
また、本発明において、端末間の通信機能を用いれば、複数の機能端末を組み合わせて使用することができ、機能端末の機能の拡張や機能端末間の情報共有が容易に行うことが可能となる。
【発明を実施するための最良の形態】
【００１７】
以下、添付図面を参照して本発明を実施するための最良の実施の形態を説明する。
【００１８】
［構成の説明］
図１は、本発明の一実施の形態の認証端末の構成を示すブロック図、図２は本発明の一実施の形態の機能端末の構成を示すブロック図、図３は本発明の一実施の形態のＵＳＩＭカードを示すブロック図である。
【００１９】
図１に示すように、認証端末１は、認証端末１と機能端末６との間の通信の暗号処理を行う信号処理部２と、機能端末６と通信を行う通信部３と、機能端末６の公開暗号鍵と端末機能情報を記憶するメモリ４と、ＵＳＩＭカードＡを収容するカードスロット５とを備えている。
【００２０】
また、図２に示すように、機能端末６は、機能端末６と認証端末１間で通信を行う際の暗号化処理を行う信号処理部７と、ＵＳＩＭカードＡを収容するカードスロット８と、認証端末１と通信を行う通信部９と、認証端末１の公開鍵と機能端末６の端末機能情報を記憶するメモリ１０と、機能端末６の秘密暗号鍵と公開暗号鍵とを管理するＫｅｙ管理部１１と、機能端末６の端末としての機能を実現させる端末機能部１２とを備えている。
【００２１】
ＵＳＩＭカードＡは、ＵＳＩＭカードＡ内に保存されている電話番号などの認証情報と、その認証情報を暗号化する秘密暗号鍵と、機能端末６に渡す公開暗号鍵をもつ。
【００２２】
認証端末１は、カードスロット５にＵＳＩＭカードＡをセットした状態で使用し、機能端末６がＵＳＩＭカードＡを実装しない状態で使用可能な認証機能を提供する。
【００２３】
信号処理部２は、ＵＳＩＭカード内に保持されている秘密鍵で送信信号を暗号化し、メモリ４に保存されている機能端末６の公開暗号鍵を使用し受信信号の暗号を復号する機能を備える。
【００２４】
通信部３は、ＢｌｕｅＴｏｏｔｈ、ＵＷＢ、ワイヤレスＵＳＢなどの通信方式を用いて、無線通信を行うための機能と、信号処理部２で暗号化した送信信号を機能端末６に送信し、機能端末６から受信した信号を信号処理部２へ渡す機能を果たす。
【００２５】
カードスロット５は、ＵＳＩＭカードＡをセットし、認証端末１とＵＳＩＭカードＡが通信できる機能を果たす。
【００２６】
端末機能情報は、機能端末６が持つ機能に関する情報で、機能端末６の端末機能部１２が持つ機能と、機能端末６が他の機能端末６に提供できる機能と、他の機能端末から受けることができる機能に関する情報からなり、機能端末６のメモリ１０に保存されている。
【００２７】
［動作の説明］
図４は本発明の一実施の形態の動作を説明するためのブロック図であり、図５は本発明の一実施の形態の動作を示すフローチャートである。
【００２８】
本実施の形態では、ＵＳＩＭカードＡがセットされる認証端末１と機能端末６とで通信を行う際に、機能端末６にはＵＳＩＭカードＡはセットされない。
【００２９】
まず、使用する機能端末６のカードスロット８にＵＳＩＭカードＡをセットする（ステップＳ１０１）。
【００３０】
ＵＳＩＭカードＡは機能端末６に固有の公開暗号鍵を取得し保存する（ステップＳ１０２）。
【００３１】
機能端末６のメモリ１０に保存されている端末機能情報をＵＳＩＭカードＡに保存する（ステップＳ１０３）。
【００３２】
機能端末６はＵＳＩＭカードＡに設置されているＵＳＩＭカードＡに固有の公開暗号鍵をメモリ１０に保存する（ステップＳ１０４）。
【００３３】
ＵＳＩＭカードＡを認証端末１にセットする（ステップＳ１０５）。
【００３４】
認証端末１はＵＳＩＭカードＡに保存されている機能端末６の公開暗号鍵と端末機能情報を読み出しメモリ４に保存する（ステップＳ１０６）。
【００３５】
機能端末６は、端末機能部１２を用いて携帯電話網へアクセスする（ステップＳ１０７）。
【００３６】
ＵＳＩＭカードＡに保存されている、電話番号などの認証情報が必要なときに、機能端末６は認証端末１と通信を行いＵＳＩＭカードＡに保存されている情報を受け取り、認証要求に応答する。
【００３７】
図６は、機能端末６が認証要求に応答する動作を示すフローチャートである。
【００３８】
図６に示すように、携帯電話網から機能端末６に対して認証要求があると（ステップＳ２０１／Ｙｅｓ）、機能端末６は認証端末１と通信を行う（ステップＳ２０２）。
【００３９】
通信部９を通じて認証端末１に情報要求を送信する（ステップＳ２０３）。
【００４０】
認証端末１は機能端末６から情報要求を受信したら（ステップＳ２０４／Ｙｅｓ）、認証端末１はメモリ４に保存されている機能端末６の公開暗号鍵を使用して情報応答を信号処理部２で暗号化する（ステップＳ２０５）。
【００４１】
情報応答を、通信部３を通じて機能端末６に送信する（ステップＳ２０６）。
【００４２】
機能端末６は、認証端末１から送られた情報応答を通信部９で受信する（ステップＳ２０７）。
【００４３】
信号処理部７でＫｅｙ管理部に保存されている秘密暗号鍵で復号する（ステップＳ２０８）。
【００４４】
復号した情報応答は端末機能部１２から認証応答を携帯電話網に送信する（ステップＳ２０９）。
【００４５】
上記の実施の形態において、認証端末１に複数の機能端末６を登録すれば、一つの認証端末１で複数の機能端末６を認証することが可能となる。
【００４６】
また、機能端末６を破棄するなど使用しなくなった場合は、認証端末１から機能端末６の公開暗号鍵を削除し、機能端末６からＵＳＩＭカードＡの公開暗号鍵を削除する。
【００４７】
もし、機能端末６を紛失した場合でも、認証端末１に登録されている機能端末６の公開暗号鍵を削除しておけば、認証端末１は認証応答を送れないため、認証端末１の認証機能が悪用されることはない。
【００４８】
［他の実施の形態］
図７は、異なる機能を果たす複数の機能端末６を組み合わせて使用する場合の構成を示すブロック図であり、図８は本発明の他の実施の形態の動作を示すフローチャートである。
【００４９】
機能端末６ａから機能端末６ｂに通信を行う場合、機能端末６ａは認証端末１へ機能要求を送信する（ステップＳ３０１）。
【００５０】
認証端末１は機能要求を受けると（ステップＳ３０２／Ｙｅｓ）、機能端末６ａの公開暗号鍵で暗号を復号し、メモリ４に登録されている端末機能情報から機能要求に一致する機能を検索する（ステップＳ３０３）。
【００５１】
一致する機能があった場合（ステップＳ３０４／Ｙｅｓ）、認証端末１は機能要求を機能端末６ｂの公開暗号鍵で暗号化し、機能端末６ｂに送信する（ステップＳ３０５）。
【００５２】
機能端末６ｂは、機能要求を受けると（ステップＳ３０６／Ｙｅｓ）、要求応答を機能端末６ｂの秘密暗号鍵で暗号化し、認証端末１に送信する（ステップＳ３０７）。
【００５３】
認証端末１は受けると（ステップＳ３０８／Ｙｅｓ）、要求応答を機能端末６ｂの公開暗号鍵で復号し、機能端末６ａの公開暗号鍵で暗号化し、機能端末６ａへ送信する（ステップＳ３０９）。
【００５４】
機能端末６ａは要求応答を受けると（ステップＳ３１０／Ｙｅｓ）、秘密暗号鍵で復号する（ステップＳ３０１１）。
【００５５】
上記のように機能端末６ａと機能端末６ｂとの間で認証端末１を仲立ちとして、通信を行うことにより、機能端末６ｂは機能端末６ａに要求された機能を提供する。
【産業上の利用可能性】
【００５６】
本発明は、ＵＳＩＭカードを利用した携帯通信端末に利用することができる。
【図面の簡単な説明】
【００５７】
【図１】本発明の一実施の形態の認証端末の構成を示すブロック図である。
【図２】本発明の一実施の形態の機能端末の構成を示すブロック図である。
【図３】本発明の一実施の形態のＵＳＩＭカードを示すブロック図である。
【図４】本発明の一実施の形態の動作を説明するためのブロック図である。
【図５】本発明の一実施の形態の動作を示すフローチャートである。
【図６】機能端末６が認証要求に応答する動作を示すフローチャートである。
【図７】異なる機能を果たす複数の機能端末６を組み合わせて使用する場合の構成を示すブロック図である。
【図８】本発明の他の実施の形態の動作を示すフローチャートである。
【符号の説明】
【００５８】
１  認証端末
２  信号処理部
３  通信部
４  メモリ
５  カードスロット
６  機能端末
７  信号処理部
８  カードスロット
９  通信部
１０  メモリ
１１  Kｅｙ管理部
１２  端末機能部
Ａ  ＵＳＩＭカード
【図１】
2006310952.tif 000003
【図２】
2006310952.tif 000004
【図３】
2006310952.tif 000005
【図４】
2006310952.tif 000006
【図５】
2006310952.tif 000007
【図６】
2006310952.tif 000008
【図７】
2006310952.tif 000009
【図８】
2006310952.tif 000010